(57)【要約】【課題】  亀裂補修個所の健全性の低下の有無を監視する。【解決手段】  亀裂補修個所１０３は、板材１００の亀裂１０１に対して、挿入部材取付孔１０４と挿入部材１０５とによる亀裂進展抑制構造１０２が適用された構成を備える。亀裂１０１の先端側からの順序が１番目の挿入部材取付孔１０４の周縁における開口形状の長手方向の両端部となる個所から、亀裂１０１の先端寄りの方向に向けて開口形状の開口幅が最大となる個所までの領域より、挿入部材取付孔１０４の外側に向けて設置範囲４が設定される。設置範囲４に設置されたひずみゲージ２ａの計測結果を基に、挿入部材取付孔１０４からの新たな亀裂の発生に起因する健全性の低下について、有無を判断する。【選択図】図２
2019020309.tif 000002
【特許請求の範囲】
【請求項１】
金属製物体の亀裂が生じた個所に、前記亀裂と交差する方向に延びる開口形状を有するように設けた挿入部材取付孔と、前記挿入部材取付孔に挿入して固定された挿入部材とを備え、前記挿入部材取付孔の開口形状は曲面形状、または、曲面とそれに連続する平面による形状とし、且つ前記開口形状は、前記亀裂を挟んだ両側に、前記挿入部材に係止される係止部を備える構成とした亀裂進展抑制構造が適用された亀裂補修個所について、
前記亀裂の先端側からの順序が１番目の挿入部材取付孔の周縁における前記開口形状の長手方向の両端部となる個所から、前記亀裂の先端寄りの方向に向けて前記開口形状の開口幅が最大となる個所までの領域より、前記挿入部材取付孔の外側に向かう位置に設置されたひずみゲージと、
前記ひずみゲージを接続して前記ひずみゲージの計測結果を出力する機能を有する計測器と、を備えること
を特徴とする亀裂補修個所のモニタリングシステム。
【請求項２】
前記ひずみゲージは、前記亀裂の先端側からの順序が１番目の前記挿入部材取付孔の周縁における前記領域より、前記挿入部材取付孔の外側に向けて１ｍｍから３０ｍｍの距離となる範囲に設置された
請求項１記載の亀裂補修個所のモニタリングシステム。
【請求項３】
前記ひずみゲージは、前記亀裂に沿い該亀裂の先端側とは逆向きの方向を基準として、４５度から７５度の角度姿勢で設けられた、
請求項１または２記載の亀裂補修個所のモニタリングシステム。
【請求項４】
前記亀裂の先端に対応する位置に更にストップホールを備える前記亀裂補修個所について、
前記ストップホールに対し、前記亀裂とは逆側に別のひずみゲージを備えて、
前記計測器は、前記別のひずみゲージの計測結果を出力する機能を有する構成とした
請求項１から請求項３のいずれか一項に記載の亀裂補修個所のモニタリングシステム。
【請求項５】
監視用のコンピュータを備え、
前記計測器は、通信網を介して前記コンピュータに前記計測結果を送る機能を備えた
請求項１から請求項４のいずれか一項に記載の亀裂補修個所のモニタリングシステム。
【請求項６】
金属製物体の亀裂が生じた個所に、前記亀裂と交差する方向に延びる開口形状を有するように設けた挿入部材取付孔と、前記挿入部材取付孔に挿入して固定された挿入部材とを備え、前記挿入部材取付孔の開口形状は曲面形状、または、曲面とそれに連続する平面による形状とし、且つ前記開口形状は、前記亀裂を挟んだ両側に、前記挿入部材に係止される係止部を備える構成とした亀裂進展抑制構造が適用された亀裂補修個所について、
前記亀裂の先端側からの順序が１番目の挿入部材取付孔の周縁における前記開口形状の長手方向の両端部となる個所から、前記亀裂の先端寄りの方向に向けて前記開口形状の開口幅が最大となる個所までの領域より、前記挿入部材取付孔の外側に向かう位置の歪みの変化量をひずみゲージにより計測すること
を特徴とする亀裂補修個所のモニタリング方法。
【発明の詳細な説明】
【技術分野】
【０００１】
本発明は、金属製物体における亀裂の補修が行われた亀裂補修個所を対象として、健全性の低下の有無を監視する亀裂補修個所のモニタリングシステムおよびモニタリング方法に関するものである。
【背景技術】
【０００２】
橋梁や、クレーン等の港湾構造物、その他、各種鋼構造物のような金属製物体には、繰り返し荷重等による疲労によって亀裂が生じることがある。
【０００３】
このような金属製物体に生じた亀裂は、その補修を行って進展（伝播）を抑えることが求められる。
【０００４】
この種の金属製物体に生じた亀裂の進展を抑制する補修方法としては、金属製物体における亀裂が生じた個所に、以下のような亀裂進展抑制構造を形成する亀裂進展抑制工法が、従来開発されてきている（たとえば、特許文献１参照）。
【０００５】
前記亀裂進展抑制構造は、金属製物体の亀裂が生じた個所に、前記亀裂と交差する方向に延びる開口形状を有する挿入部材取付孔が設けられ、この挿入部材取付孔の内側に、挿入部材が挿入して固定された構成を備えている。更に、前記挿入部材取付孔は、開口の内面形状が、曲面形状、または、曲面とそれに連続する平面による形状とされ、前記開口形状は、前記亀裂を挟んだ両側に、前記挿入部材に係止される係止部を備えている。
【０００６】
更に、前記挿入部材取付孔の係止部は、前記開口形状の長手方向の両端側から中央部側に向けて開口幅が狭くなる形状として形成し、前記挿入部材は、断面形状が、両端側から中央部側に向けて細くなる形状とすることも、従来提案されている。
【０００７】
これにより、前記亀裂進展抑制構造によれば、前記金属製物体に前記亀裂を開く方向の荷重が作用すると、その荷重は、両端寄り部分が前記係止部材取付孔の各係止部に係止される挿入部材によって受けられる。これにより、前記亀裂進展抑制構造が亀裂に適用された金属製物体では、亀裂の先端部に作用する応力拡大係数幅が低減されることで、亀裂の進展が抑制される。
【先行技術文献】
【特許文献】
【０００８】
【特許文献１】特許第５８８３５２８号公報
【発明の概要】
【発明が解決しようとする課題】
【０００９】
前記特許文献１に示された亀裂進展抑制工法によって形成される亀裂進展抑制構造は、金属製物体に生じた亀裂の進展を抑制する効果を得る補修として有効である。
【００１０】
ところで、本発明者等は、前記亀裂進展抑制構造について、試験体を用いて亀裂を開く方向に過大な荷重を作用させる試験を行い、その結果、金属製物体の亀裂に複数の挿入部材取付孔および挿入部材が設けられている亀裂進展抑制構造では、特定の挿入部材取付孔の周縁における特定の領域に応力集中が生じるという知見を得た。更に、本発明者等は、前記試験体に対して作用させる亀裂を開く方向の荷重をより大きくする試験の結果、前記応力集中が生じる特定の挿入部材取付孔における特定の領域からの新たな亀裂の発生が、進展抑制の対象とされた元の亀裂が進展する現象よりも生じやすいという知見を得た。
【００１１】
そこで、本発明者等は、金属製物体に亀裂が発生した個所であって、前記亀裂進展抑制構造が適用された亀裂補修個所について、特定の挿入部材取付孔の周縁における特定の領域の歪みの変化を基に、該特定の領域からの新たな亀裂の発生による亀裂補修個所の健全性の低下の有無を検知できることを見出して本発明をなした。
【００１２】
したがって、本発明の目的とするところは、金属製物体に生じた亀裂に前記亀裂進展抑制構造が適用された亀裂補修個所について、健全性の低下の有無を検知することができる亀裂補修個所のモニタリングシステムおよびモニタリング方法を提供しようとするものである。
【課題を解決するための手段】
【００１３】
本発明は、前記課題を解決するために、金属製物体の亀裂が生じた個所に、前記亀裂と交差する方向に延びる開口形状を有するように設けた挿入部材取付孔と、前記挿入部材取付孔に挿入して固定された挿入部材とを備え、前記挿入部材取付孔の開口形状は曲面形状、または、曲面とそれに連続する平面による形状とし、且つ前記開口形状は、前記亀裂を挟んだ両側に、前記挿入部材に係止される係止部を備える構成とした亀裂進展抑制構造が適用された亀裂補修個所について、前記亀裂の先端側からの順序が１番目の挿入部材取付孔の周縁における前記開口形状の長手方向の両端部となる個所から、前記亀裂の先端寄りの方向に向けて前記開口形状の開口幅が最大となる個所までの領域より、前記挿入部材取付孔の外側に向かう位置に設置されたひずみゲージと、前記ひずみゲージを接続して前記ひずみゲージの計測結果を出力する機能を有する計測器とを備える亀裂補修個所のモニタリングシステムとする。
【００１４】
前記ひずみゲージは、前記亀裂の先端側からの順序が１番目の前記挿入部材取付孔の周縁における前記領域より、前記挿入部材取付孔の外側に向けて１ｍｍから３０ｍｍの距離となる範囲に設置された構成としてある。
【００１５】
前記ひずみゲージは、前記亀裂に沿い該亀裂の先端側とは逆向きの方向を基準として、４５度から７５度の角度姿勢で設けられた構成としてある。
【００１６】
前記亀裂の先端に対応する位置に更にストップホールを備える前記亀裂補修個所について、前記ストップホールに対し、前記亀裂とは逆側に別のひずみゲージを備えて、前記計測器は、前記別のひずみゲージの計測結果を出力する機能を有する構成としてある。
【００１７】
監視用のコンピュータを備え、前記計測器は、通信網を介して前記コンピュータに前記計測結果を送る機能を備えた構成としてある。
【００１８】
また、金属製物体の亀裂が生じた個所に、前記亀裂と交差する方向に延びる開口形状を有するように設けた挿入部材取付孔と、前記挿入部材取付孔に挿入して固定された挿入部材とを備え、前記挿入部材取付孔の開口形状は曲面形状、または、曲面とそれに連続する平面による形状とし、且つ前記開口形状は、前記亀裂を挟んだ両側に、前記挿入部材に係止される係止部を備える構成とした亀裂進展抑制構造が適用された亀裂補修個所について、前記亀裂の先端側からの順序が１番目の挿入部材取付孔の周縁における前記開口形状の長手方向の両端部となる個所から、前記亀裂の先端寄りの方向に向けて前記開口形状の開口幅が最大となる個所までの領域より、前記挿入部材取付孔の外側に向かう位置の歪みの変化量をひずみゲージにより計測する亀裂補修個所のモニタリング方法とする。
【発明の効果】
【００１９】
本発明の亀裂補修個所のモニタリングシステムおよびモニタリング方法によれば、金属製物体に発生した亀裂に亀裂進展抑制構造が適用された補修個所について、健全性の低下の有無を検知することができる。
【図面の簡単な説明】
【００２０】
【図１】亀裂補修個所のモニタリングシステムの第１実施形態を示す概要図である。
【図２】図１における要部を拡大して示す図である。
【図３】亀裂補修個所における亀裂進展抑制構造を説明するための図である。
【図４】亀裂進展抑制構造における挿入部材を示す図である。
【図５】ひずみゲージの設置条件を説明するための図である。
【図６】亀裂モニタリングシステムの第２実施形態を示す概要図である。
【発明を実施するための形態】
【００２１】
以下、本発明を実施するための形態を図面を参照して説明する。
【００２２】
［第１実施形態］
図１は亀裂補修個所のモニタリングシステムの第１実施形態を示す概要図である。図２は、図１における要部を拡大して示す図である。
【００２３】
図３は、亀裂補修個所における亀裂進展抑制構造を説明するための図で、図３（ａ）は板材に亀裂が生じた状態を、図３（ｂ）は板材の亀裂が生じた個所に挿入部材取付孔が設けられた状態を、図３（ｃ）は挿入部材取付孔に挿入部材が取り付けられた状態を、それぞれ示す概略斜視図である。図４は、亀裂進展抑制構造で用いられる挿入部材を示すもので、図４（ａ）は挿入方向の一方から見た図、図４（ｂ）は図４（ａ）のＡ−Ａ方向矢視図である。
【００２４】
図５は、亀裂補修個所のモニタリングシステムにおけるひずみゲージの設置条件を説明するための図で、図５（ａ）は、亀裂補修個所における応力集中が生じる領域と、新たな亀裂が生じやすい方向とを示す概要図、図５（ｂ）は、ひずみゲージの設置範囲と設置角度の条件を示す図である。
【００２５】
本実施形態の亀裂補修個所のモニタリングシステムは、図１、図２に符号１で示すもので、金属製物体として、たとえば、鋼構造物を構成している板材１００における亀裂１０１が生じた個所であって、その亀裂１０１が亀裂進展抑制構造１０２によって補修された亀裂補修個所１０３に適用するものである。
【００２６】
本実施形態の亀裂補修個所のモニタリングシステム１は、亀裂補修個所１０３に後述する条件に従い設定される設置範囲４に取り付けられたひずみゲージ２ａ，２ｂを備え、更に、ひずみゲージ２ａ，２ｂを接続した計測器３を備えた構成とされている。
【００２７】
なお、本実施形態の亀裂補修個所のモニタリングシステム１は、説明の便宜上、以下、単に、本実施形態のモニタリングシステム１という。
【００２８】
ここで、先ず、本実施形態のモニタリングシステム１の適用対象となる亀裂進展抑制構造１０２による亀裂補修個所１０３について説明する。
【００２９】
亀裂進展抑制構造１０２は、図３（ａ）に示すように、板材１００の亀裂１０１が生じた個所に、図３（ｂ）に示すように、亀裂１０１と交差する方向に延びる開口形状を有する挿入部材取付孔１０４が設けられ、図３（ｃ）に示すように、この挿入部材取付孔１０４の内側に、挿入部材１０５が挿入して取り付けられた構成を備えている。
【００３０】
挿入部材１０５は、図４（ａ）（ｂ）に示すような板状の部材である。挿入部材１０５は、図４（ｂ）に矢印で示す一方向が、挿入部材取付孔１０４への挿入方向ｘとして設定されている。
【００３１】
更に、挿入部材１０５は、挿入方向ｘに垂直な断面の形状が、図４（ａ）に示すように、両端寄り部分１０６ａ，１０６ｂの板厚が中央部分１０７の板厚に比して大となる形状とされている。挿入部材１０５における挿入方向ｘに垂直な断面の形状は、以下、挿入部材１０５の断面形状という
【００３２】
挿入部材１０５の両端寄り部分１０６ａ，１０６ｂの外面１０８ａ，１０８ｂは、連続する曲面とされている。更に、この外面１０８ａ，１０８ｂにおいて外向きに凸となる曲面は、一定の曲率となっていることが好ましい。これは、後述するように図４（ａ）に二点鎖線で示す如き形状とされる挿入部材取付孔１０４の開口形状の長手方向両端側に備える曲面形状に合わせるためである。
【００３３】
また、挿入部材１０５は、両端寄り部分１０６ａ，１０６ｂ同士の間でくびれる中央部分１０７の両側の外面１０９ａ，１０９ｂが、連続する湾曲面とされている。これは、挿入部材１０５の中央部分１０７にて、板厚の変化が連続するようにして、中央部分１０７の外面１０９ａ，１０９ｂに、応力集中が生じ易くなる屈曲した個所が形成されないようにするためである。
【００３４】
補修対象となる亀裂１０１が板材１００の亀裂１０１であることに鑑みて、挿入部材１０５は、図４（ｂ）に示すように、挿入方向ｘの両端面が、挿入方向ｘに垂直な平面とされている。また、挿入部材１０５の挿入方向ｘの寸法Ｌは、亀裂１０１が生じている板材１００の板厚ｔ（図３（ａ）参照）と同等か、または、板厚ｔよりも大となるように設定されていることが好ましい。これは、板材１００の挿入部材取付孔１０４に挿入する挿入部材１０５を、板材１００の板厚ｔの全域に亘って配置できるようにするためである。
【００３５】
挿入部材取付孔１０４は、図３（ｂ）に示すように、板材１００の亀裂１０１が生じている個所に亀裂１０１と交差する方向に開口形状が延びるように設けられた孔である。
【００３６】
挿入部材取付孔１０４の開口形状は、図４（ａ）に二点鎖線で示すように、長手方向の中央部分１１０の開口幅が、両端寄り部分１１１ａ，１１１ｂの側の開口幅よりも狭くなっている。この中央部分１１０の開口幅は、挿入部材１０５の中央部分１０７を収容でき、且つ挿入部材１０５の両端寄り部分１０６ａ，１０６ｂの板厚よりも小さい寸法に設定されている。
【００３７】
挿入部材取付孔１０４の開口形状の長手方向の両端寄り部分１１１ａ，１１１ｂは、挿入部材１０５の両端寄り部分１０６ａ，１０６ｂを収容可能な形状とされている。
【００３８】
挿入部材取付孔１０４の開口形状における両端寄り部分１１１ａ，１１１ｂから中央部分１１０に向けて開口幅が狭くなる部分は、対をなす係止部ｓとされ、各係止部ｓは、亀裂１０１を挟んだ両側に形成されている。
【００３９】
これにより、挿入部材取付孔１０４に挿入部材１０５を挿入した状態では、挿入部材取付孔１０４の各係止部ｓに、挿入部材１０５の両端寄り部分１０６ａ，１０６ｂが係止される。このため、板材１００に亀裂１０１を開く方向の荷重が作用するときには、その荷重を、亀裂１０１の両側に設けられている挿入部材取付孔１０４の各係止部ｓから、挿入部材１０５へ伝えることができる。このため、板材１００では、亀裂１０１の開く方向への変形が、挿入部材取付孔１０４に取り付けられた挿入部材１０５によって拘束される。
【００４０】
挿入部材取付孔１０４は、開口形状が、連続する曲面、すなわち、屈曲した部分のない滑らかな曲面、または、曲面とそれに連続する平面による形状としてある。これにより、挿入部材取付孔１０４は、開口形状の周縁部の一部に応力集中が生じにくくしてある。更に、挿入部材取付孔１０４の開口形状の長手方向の両端寄り部分１１１ａ，１１１ｂにおける外向きに凸となる曲面は、一定の曲率の曲面とされることが好ましい。これは、開口形状の長手方向の両端寄り部分１１１ａ，１１１ｂに、より応力集中が生じにくくするためである。
【００４１】
なお、挿入部材取付孔１０４の開口形状は、挿入部材１０５の断面形状に比してわずかに大きい相似形状として、挿入部材取付孔１０４の内面と挿入部材１０５の外面との隙間ができるだけ小さくなるように設定することが好適とされる。これは、挿入部材取付孔１０４と挿入部材１０５の対向する面同士の間に介在させて両者を接着する接着剤１１２の層の厚みをできるだけ小さくして、挿入部材取付孔１０４と挿入部材１０５との間での荷重の伝達を良好に行わせるためである。なお、図３（ｃ）、図４（ａ）および図２では、図示する便宜上、挿入部材取付孔１０４と挿入部材１０５との間を拡大して示してある（後述する図５も同様）。
【００４２】
板材１００に生じた亀裂１０１を対象とする亀裂進展抑制構造１０２による補修は、先ず、図１、図２、図３（ａ）（ｂ）（ｃ）に示すように、板材１００における亀裂１０１が生じた個所に、亀裂１０１と交差する方向、好ましくは、亀裂１０１と直角に交差する方向に開口形状（図４（ａ）参照）が延びる配置で挿入部材取付孔１０４が設けられる。
【００４３】
この際、挿入部材取付孔１０４に挿入される挿入部材１０５を亀裂１０１の両側に偏りなく配置するためには、挿入部材取付孔１０４は、開口形状の長手方向の中央付近で亀裂１０１と交差するように設けられる。
【００４４】
次に、挿入部材取付孔１０４には、挿入部材１０５が、挿入部材１０５における挿入部材取付孔１０４の内面に接する面に接着剤（構造用接着剤）１１２が塗布された状態で挿入される。なお、接着剤１１２は、挿入部材取付孔１０４の内面に塗布されていてもよく、挿入部材１０５の外面と挿入部材取付孔１０４の内面の双方に塗布されていてもよい。その後は、接着剤１１２を硬化させる。
【００４５】
これにより、板材１００における亀裂１０１が生じた個所には、挿入部材取付孔１０４の内側に挿入部材１０５が接着により固定した状態で取り付けられた亀裂進展抑制構造１０２によって亀裂１０１の補修が行われた亀裂補修個所１０３が形成される。
【００４６】
なお、亀裂１０１に対して設ける挿入部材取付孔１０４および挿入部材１０５の数は、亀裂１０１の延びる寸法や、板材１００における亀裂１０１が存在している個所に作用する荷重に応じて適宜設定すればよい。図１は、１つの亀裂１０１に対し、複数の挿入部材取付孔１０４および挿入部材１０５を設けた構成の一例であるが、亀裂１０１に対して設けられる挿入部材取付孔１０４および挿入部材１０５の数や配列間隔は図示するための便宜上のもので、実際の数や配列間隔を反映したものではない。
【００４７】
１つの亀裂１０１に対して、挿入部材取付孔１０４および挿入部材１０５を複数設ける場合、配列する数と配列間隔は、特許文献１に示されている手法と同様の解析を用いた手法で設定すればよい。
【００４８】
本実施形態では、亀裂補修個所１０３は、更に、図１、図２に示すように、板材１００における亀裂１０１の両方の先端に対応する位置に、ストップホール１１３を備えた構成とされている。
【００４９】
次に、本発明者等が行った試験について説明する。
【００５０】
本発明者等は、前記した構成の亀裂進展抑制構造１０２が亀裂１０１に適用された構成を備えた図示しない試験体を用いて、亀裂１０１を開く方向に過大な荷重を作用させる試験を行った。その結果、亀裂１０１の長手方向に挿入部材取付孔１０４および挿入部材１０５が複数設けられている場合、図５（ａ）に示すように、亀裂１０１の先端側からの順序が１番目の挿入部材取付孔１０４では、両端寄り部分１１１ａ，１１１ｂの周縁における斜線のハッチングを付した領域５に、応力集中が生じることが判明した。この領域５の応力集中は、同じ挿入部材取付孔１０４の開口部の周縁における他の部分や、亀裂１０１の先端側からの順序が２番目以降となる他の挿入部材取付孔１０４の開口部の周縁に比して大きな応力集中である。
【００５１】
また、この特定の挿入部材取付孔１０４における応力集中が生じる領域５は、両端寄り部分１１１ａ，１１１ｂの周縁にて、開口形状の長手方向の両端部となる個所６から、亀裂１０１の先端寄りの方向に向けて、開口形状の開口幅が最大となる個所７までの領域であることが判明した。
【００５２】
更に、本発明者等は、前記試験体に作用させる亀裂１０１を開く方向の荷重をより大きくする試験を行った。その結果、前記特定の挿入部材取付孔１０４における応力集中が生じる領域５からは、図５（ａ）に一点鎖線で示す如き新たな亀裂８が発生することが判明した。この応力集中が生じる領域５を起点とする新たな亀裂８の発生は、亀裂進展抑制構造１０２の適用による補修対象とされた元の亀裂１０１の進展よりも生じやすい、ということも判明した。
【００５３】
また、この新たな亀裂８は、元の亀裂１０１に沿い該亀裂１０１の先端側に向く方向に対して、３０度ずれた方向に主として発生すること、この主方向からの角度のずれが生じるとしても、±１０度程度の角度範囲に収まることが判明した。
【００５４】
以上の試験結果に鑑みて、本実施形態のモニタリングシステム１では、図５（ｂ）に示すように、ひずみゲージ２ａの設置範囲４を設定する。この設置範囲４は、亀裂１０１の先端側からの順序が１番目の挿入部材取付孔１０４の両端寄り部分１１１ａ，１１１ｂの周縁における応力集中が生じる領域５、すなわち、開口形状の長手方向の両端部となる個所６から、亀裂１０１の先端寄りの方向に向けて、開口形状の開口幅が最大となる個所７までの領域より、挿入部材取付孔１０４の外側に向けて１ｍｍから３０ｍｍの距離となる範囲に設定してある。
【００５５】
なお、ひずみゲージ２ａの設置範囲４を挿入部材取付孔１０４の周縁における応力集中が生じる領域５から１ｍｍから３０ｍｍの距離となる範囲に設定したのは、以下の理由による。
【００５６】
すなわち、一般に、金属製物体では、亀裂の発生に起因して歪みの変化が生じるが、その歪みの変化の影響は、亀裂の発生個所からの距離が離れるにしたがって小さくなる。よって、ひずみゲージを用いて、金属製物体に生じる亀裂の発生に起因する歪みの変化を検出する場合には、ひずみゲージの位置が亀裂の発生個所から３０ｍｍを超えて離れると、検出の精度が低下する点であまり好ましくないためである。一方、ひずみゲージは、金属製物体に取り付けを行うときには、接着剤などを用いて貼りつける必要があるため、金属製物体の縁から１ｍｍ未満となる位置に設置するのは実質的に困難である。
【００５７】
また、一般に、ひずみゲージで亀裂の発生の有無を検出する場合は、ひずみゲージの角度姿勢を、発生すると想定される亀裂に対して直交する方向に設定することが好ましい。しかし、ひずみゲージを金属製物体に実際に取り付けるときには、ひずみゲージの角度姿勢を厳密に目標値に合わせることは困難であり、５度程度の角度ずれを生じることはある。
【００５８】
そこで、本実施形態のモニタリングシステム１では、設置範囲４に設置するひずみゲージ２ａ，２ｂの角度姿勢については、亀裂１０１に沿い該亀裂１０１の先端側に向く方向から３０度±１０度ずれた方向に対して直交する方向、すなわち、亀裂１０１に沿い該亀裂１０１の先端に向く方向から１２０度±１０度ずれた方向を目標として、実際には、１２０度±１５度ずれた方向に設定される。なお、このひずみゲージ２ａの角度姿勢は、亀裂１０１に沿い該亀裂１０１の先端側とは逆向きの方向を基準とした場合は、４５度から７５度の角度姿勢となる。この場合、前記した新たな亀裂８が発生する主方向の点から考えると、設置範囲４に設置するひずみゲージ２ａ，２ｂの角度姿勢として好ましいのは、亀裂１０１に沿い該亀裂１０１の先端側に向く方向から１２０度ずれた方向、すなわち、亀裂１０１に沿い該亀裂１０１の先端側とは逆向きの方向からは６０度ずれた方向となる。
【００５９】
したがって、本実施形態のモニタリングシステム１は、図１、図２に示すように、亀裂１０１の先端側からの順序が１番目の挿入部材取付孔１０４の開口形状の長手方向の両端側で、亀裂１０１の先端側寄りとなる設置範囲４に、ひずみゲージ２ａが、設定された角度姿勢で設置された構成を備えている。
【００６０】
なお、ひずみゲージ２ａは、抵抗線や抵抗箔のような実際に歪みの検出を行う部分が設置範囲４に入っていれば、歪みの検出に関与しない外周部が、設置範囲４からはみ出していてもよいことは勿論である。
【００６１】
更に、本実施形態のモニタリングシステム１は、元の亀裂１０１がストップホール１１３から再び進展した場合に、その検知を行うための手段として、図１、図２に示すように、亀裂１０１の先端に設けられたストップホール１１３に対し、亀裂１０１とは逆側に１ｍｍから３０ｍｍの距離となる範囲に、ひずみゲージ２ｂを設けた構成とすることが好ましい。
【００６２】
このひずみゲージ２ｂの角度姿勢は、亀裂１０１に沿い該亀裂１０１の先端側に向く方向に対して９０度±５度ずれた方向に設定される。
【００６３】
なお、ひずみゲージ２ａとひずみゲージ２ｂは、いずれも、板材１００の線膨張係数と等しいか対応した線膨張係数を有するひずみゲージを選定して用いることで、熱出力（温度変化による見かけの歪み）を抑制するようにしてある。
【００６４】
計測器３は、接続されたひずみゲージ２ａおよびひずみゲージ２ｂにおける抵抗変化を、歪みの変化量の計測結果として出力する機能を備えている。
【００６５】
この計測器３による計測結果の出力は、たとえば、図１に二点鎖線で示すように、作業者（図示せず）が持ち運ぶパソコンやタブレットのような携帯端末９に対して、有線接続、または、無線通信で行うようにすればよい。
【００６６】
以上の構成としてある本実施形態のモニタリングシステム１を用いて板材１００における亀裂進展抑制構造１０２による亀裂補修個所１０３の監視を行う場合は、作業者が、携帯端末９を用いて、設定された時間間隔で計測器３から出力されるひずみゲージ２ａとひずみゲージ２ｂの計測結果を受け取る。
【００６７】
そして、ひずみゲージ２ａによる計測結果の時系列を基に、ひずみゲージ２ａによる歪みの変化量の計測結果に、大幅な変化が生じていない場合、あるいは、亀裂発生時のパターンに当てはまる変化が生じていない場合は、亀裂補修個所１０３にて、挿入部材取付孔１０４からの新たな亀裂８（図５（ａ）参照）の発生はないと判断あるいは推定することができる。
【００６８】
また、ひずみゲージ２ｂによる計測結果の時系列を基に、ひずみゲージ２ｂによる歪みの変化量の計測結果に、大幅な変化が生じていない場合、あるいは、亀裂発生時のパターンに当てはまる変化が生じていない場合は、亀裂補修個所１０３にて、元の亀裂１０１がストップホール１１３から進展していないと判断あるいは推定することができる。
【００６９】
したがって、本実施形態のモニタリングシステム１では、ひずみゲージ２ａとひずみゲージ２ｂの計測結果に、大幅な変化が生じていない場合、あるいは、亀裂発生時のパターンに当てはまる変化が生じていない場合は、亀裂補修個所１０３の健全性に低下は生じていないと判断することができる。
【００７０】
一方、ひずみゲージ２ａによる計測結果の時系列を基に、ひずみゲージ２ａによる歪みの変化量の計測結果に、たとえば、大幅な変化が生じた場合、または、亀裂発生時のパターンに合致する変化が生じた場合は、亀裂補修個所１０３にて、挿入部材取付孔１０４から新たな亀裂８（図５（ａ）参照）が生じたと判断あるいは推定することができる。
【００７１】
したがって、この場合は、本実施形態のモニタリングシステム１では、挿入部材取付孔１０４からの新たな亀裂８の発生に起因して、亀裂補修個所１０３の健全性に低下が生じたと判断することができる。
【００７２】
また、ひずみゲージ２ｂによる計測結果の時系列を基に、ひずみゲージ２ｂによる歪みの変化量の計測結果に、たとえば、大幅な変化が生じた場合、または、亀裂発生時のパターンに合致する変化が生じた場合は、亀裂補修個所１０３にて、元の亀裂１０１がストップホール１１３から再進展したと判断あるいは推定することができる。
【００７３】
したがって、この場合は、本実施形態のモニタリングシステム１では、元の亀裂１０１のストップホール１１３からの再進展に起因して、亀裂補修個所１０３の健全性に低下が生じたと判断することができる。
【００７４】
このように、本実施形態のモニタリングシステム１によれば、亀裂進展抑制構造１０２が適用された亀裂補修個所１０３について、健全性の低下の有無を監視することができる。
【００７５】
また、本実施形態のモニタリングシステム１では、試験により得た亀裂補修個所１０３における応力集中が生じる領域５の情報と、この領域５から新たな亀裂８が発生すると想定される位置と角度の情報とを基に、ひずみゲージ２ａの配置を決めている。そのため、たとえ、３つ以上の挿入部材取付孔１０４および挿入部材１０５を備えた亀裂補修個所１０３を監視の対象とする場合であっても、本発明のモニタリングシステム１は、図１に示すように、ひずみゲージ２ａは、亀裂１０１の両方の先端側からの順序が１番目となる挿入部材取付孔１０４の開口形状の長手方向両端側にのみ設ければよい。よって、本実施形態のモニタリングシステム１は、亀裂補修個所１０３におけるすべての挿入部材取付孔１０４に対応してひずみゲージを設ける必要がないため、ひずみゲージ２ａの使用数を抑えることができて、装置を構成する機器の点数を削減して、装置構成を単純化することができる。
【００７６】
［第２実施形態］
図６は、亀裂補修個所のモニタリングシステムの第２実施形態を示す概要図である。
【００７７】
なお、図６において、第１実施形態と同一のものには同一符号を付して、その説明を省略する。
【００７８】
本実施形態の亀裂補修個所のモニタリングシステム１Ａは、図６に示すように、第１実施形態と同様の構成において、計測器３が、ひずみゲージ２ａ，２ｂの計測結果を作業者が持ち運ぶ携帯端末９に対して出力する構成に代えて、計測器３が、インターネットのような通信網１０に常時あるいは設定された時間間隔で接続する機能と、この通信網１０を介して遠隔地の監視センタなどに備えた監視用のコンピュータ１１に、ひずみゲージ２ａ，２ｂの計測結果を送る機能を備えた構成としたものである。
【００７９】
監視用のコンピュータ１１は、ひずみゲージ２ａによる計測結果の時系列、および、ひずみゲージ２ｂによる計測結果の時系列をそれぞれ監視する機能と、歪みの変化量の計測結果に、大幅な変化が生じた場合や、亀裂発生時のパターンに合致する変化が生じた場合に、亀裂補修個所１０３の健全性に低下が生じたというシグナル（アラーム）を発生させる機能を備えるようにすればよい。
【００８０】
以上の構成としてある本実施形態の亀裂補修個所のモニタリングシステム１Ａによっても、第１実施形態と同様に、亀裂進展抑制構造１０２が適用された亀裂補修個所１０３について、健全性の低下の有無を監視することができて、第１実施形態と同様の効果を得ることができる。
【００８１】
なお、前記各実施形態では、本発明の亀裂補修個所のモニタリングシステムの適用対象として、鋼構造物を構成している板材１００に生じた亀裂１０１の補修個所を例示したが、鋼構造物にて同一平面内に配置された板材同士を突き合わせ溶接した溶接部に生じた亀裂１０１や、この溶接部から一方または双方の板材に延びる亀裂１０１の補修個所に適用してもよいことは勿論である。
【００８２】
更に、本発明の亀裂補修個所のモニタリングシステムは、たとえば、橋梁の隅角部となるデッキプレートの下面と、その下側に配置されたＵリブの上端縁との接合部（溶接部）のような金属製物体における屈曲部に生じた亀裂１０１の亀裂進展抑制構造１０２による亀裂補修個所１０３に適用してもよい。
【００８３】
この場合、ひずみゲージ２ａは、挿入部材取付孔１０４が設けられている金属製物体の面に対して垂直な方向から見て、図５（ｂ）に示したと同様の設置範囲４と角度姿勢を定めるようにすればよい。
【００８４】
なお、亀裂１０１の先端部が溶接部に存在している場合や、金属製物体における屈曲部に存在している場合は、亀裂補修個所１０３では、亀裂１０１の先端側にストップホール１１３を設けることができない。よって、このような場合には、本発明の亀裂補修個所のモニタリングシステムは、ひずみゲージ２ｂを省略した構成とすればよい。
【００８５】
また、本発明は、前記各実施形態にのみ限定されるものではなく、本発明の亀裂補修個所のモニタリングシステムは、板材１００や、橋梁のデッキプレートとＵリブ以外の任意の金属製物体にて、亀裂進展抑制構造１０２による亀裂１０１の補修が行われた亀裂補修個所１０３に適用してもよいことは勿論である。
【００８６】
亀裂補修個所１０３にて、挿入部材取付孔１０４に挿入して取り付けられている挿入部材１０５の挿入方向ｘの形状は、特に限定されない。
【００８７】
挿入部材取付孔１０４は、金属製物体における貫通孔となっていなくてもよい。
【００８８】
その他本発明の要旨を逸脱しない範囲内で種々変更を加え得ることは勿論である。
【符号の説明】
【００８９】
２ａ，２ｂ  ひずみゲージ、３  計測器、４  設置範囲、５  領域、６  個所、７  個所、１０  通信網、１１  監視用のコンピュータ、１００  板材（金属製物体）、１０１  亀裂、１０２  亀裂進展抑制構造、１０３  亀裂補修個所、１０４  挿入部材取付孔、１０５  挿入部材、１１１ａ，１１１ｂ  両端寄り部分、１１３  ストップホール、ｓ  係止部
【図１】
2019020309.tif 000003
【図２】
2019020309.tif 000004
【図３】
2019020309.tif 000005
【図４】
2019020309.tif 000006
【図５】
2019020309.tif 000007
【図６】
2019020309.tif 000008